(57)【要約】【課題】本発明は、各部品が小さくても組立工程が簡単でかつ十分な組立精度が得られる撮像装置を提供する。【解決手段】撮像装置１は、第１のプリズム１１と第２のプリズム１２と絞部材１３と第１の保持ピース１１１と第２の保持ピース１２１とボス１２２とプリズムホルダ１４とプリズム留め具１５とを備える。プリズム留め具１５は、プリズムホルダ１４に取り付けられることによって、プリズムホルダ１４に設けられ頂部が基準面に位置する第１の受部１４１および第２の受部１４２との間に第１の保持ピース１１１および第２の保持ピース１２１を挟み込み、かつ、第１のプリズム１１と第２のプリズム１２を互に寄せ合う方向へ付勢する。【選択図】      図６
2007127936.tif 000002
【特許請求の範囲】
【請求項１】
入射された光束を少なくとも一回反射させてから射出する第１のプリズムと、
前記第１のプリズムから入射された光束を少なくとも一回反射させてから射出する第２のプリズムと、
前記第１のプリズムと前記第２のプリズムとの間に配置され前記光束の有効断面積を規制する絞部材と、
前記第１のプリズムに入射される光束の入射光軸および前記第２のプリズムから射出される光束の射出光軸が倣う仮想平面に対して交差する方向へ前記第１のプリズムの非光学面から延びる第１の保持ピースと、
前記仮想平面に対して交差する方向へ前記第２のプリズムの非光学面から延びる第２の保持ピースと、
前記仮想平面を隔てる少なくとも２つ設けられ前記第１のプリズムおよび前記第２のプリズムの少なくとも一方から延びて他方に当接するボスと、
前記入射光軸および前記射出光軸を横切る方向へ延びる基準面に沿って前記第２のプリズムの射出側から前記第１の保持ピースを支持する第１の受部および前記第２の保持ピースを支持する第２の受部が形成されたプリズムホルダと、
前記プリズムホルダに取り付けられることによって、前記基準面との間に前記第１の保持ピースおよび前記第２の保持ピースを挟み込み、かつ、前記第１のプリズムと第２のプリズムを互に寄せ合う方向へ付勢するプリズム留め具と
を備えることを特徴とする撮像装置。
【請求項２】
前記第１のプリズムおよび前記第２のプリズムは、前記仮想平面に対して鏡像でかつ回転非対称な自由曲面形状の光学面を有することを特徴とする請求項１に記載の撮像装置。
【請求項３】
前記プリズムホルダは、前記第１のプリズムおよび前記第２のプリズムが並ぶ方向を横切る向きに前記第２のプリズムに対して前記第１のプリズムと反対側に配置され、前記第２の保持ピースが当接するプリズム位置決面を有し、
前記プリズム留め具は、前記第２のプリズムと反対側から前記第１の保持ピースに当接して前記第１のプリズムおよび前記第２のプリズムを前記プリズム位置決面に寄せる嵌合片を有する
ことを特徴とする請求項１に記載の撮像装置。
【請求項４】
前記第１の受部および前記第２の受部は、頂部が前記基準面に位置する球状凸形で、前記第１のプリズムおよび前記第２のプリズムをそれぞれ３か所で支持することを特徴とする請求項１に記載の撮像装置。
【請求項５】
前記プリズム留め具は、前記第１の受部および前記第２の受部をそれぞれ頂点とする三角形の内側に対応する位置で各前記第１の保持ピースおよび前記第２の保持ピースに当接する球状凸部を備えることを特徴とする請求項４に記載の撮像装置。
【請求項６】
前記プリズムホルダは、前記仮想平面と平行に配置される非光学面である第１のプリズムおよび第２のプリズムの側面に摺接する位置決凸条を備えることを特徴とする請求項１に記載の撮像装置。
【請求項７】
前記プリズムホルダは、前記第２の保持ピースと反対側の前記第１の保持ピースの端面に向かって傾斜するテーパ部を備え、
前記プリズム留め具の前記嵌合片は、前記第２の保持ピースと反対側の前記第１の保持ピースの端面と前記テーパ部との間に差込まれる楔形に形成され、前記プリズム留め具が前記プリズムホルダに取り付けられることによって、前記第１の保持ピースを前記第２の保持ピース側に向かって付勢することを特徴とする請求項３に記載の撮像装置。
【請求項８】
前記プリズムホルダおよび前記プリズム留め具は、前記非光学面から離れた前記第１の保持ピースの端部および前記第２の保持ピースの端部とともに形成する空間を有し、この空間に接着剤が充填されることを特徴とする請求項１に記載の撮像装置。
【請求項９】
前記プリズム留め具は、光学的に透過性を有した材料で形成され、前記第１の保持ピースおよび前記第２の保持ピースは、紫外線硬化型の接着剤で前記プリズムホルダに固定されることを特徴とする請求項１に記載の撮像装置。
【請求項１０】
前記プリズム留め具は、前記プリズムホルダに融着され、前記プリズムホルダとの間に前記第１の保持ピースおよび前記第２の保持ピースを位置決することを特徴とする請求項１に記載の撮像装置。
【請求項１１】
前記プリズムホルダと前記プリズム留め具とは、超音波によって融着されることを特徴とする請求項１０に記載の撮像装置。
【請求項１２】
前記プリズムホルダと前記プリズム留め具とは、レーザービームによって融着されることを特徴とする請求項１０に記載の撮像装置。
【請求項１３】
前記プリズムホルダは、前記プリズム留め具が嵌り込む段差部を有し、
前記プリズムホルダと前記プリズム留め具とは、前記段差部で融着されることを特徴とする請求項１０に記載の撮像装置。
【請求項１４】
前記プリズムホルダと前記プリズム留め具とは、一方に爪部を、他方に係止部を備え、互に離れる方向に係止することを特徴とする請求項１に記載の撮像装置。
【請求項１５】
前記爪部は、前記プリズムホルダの外周部に設けられ、
前記係止部は、前記プリズム留め具の外周から前記爪部に覆い被せて設けられる
ことを特徴とする請求項１４に記載の撮像装置。
【請求項１６】
前記プリズム留め具は、プレート部材を折曲げて構成され、
前記第１の保持ピースを前記第１の受部に向けて付勢する第１の板バネ部と、
前記第２の保持ピースを前記第２の受部に向けて付勢する第２の板バネ部と、
前記第１のプリズムおよび前記第２のプリズムを互に寄せ合う方向へ付勢する第３の板バネ部と
を備えることを特徴とする請求項１の撮像装置。
【請求項１７】
入射された光束を少なくとも一回反射させてから射出する第１のプリズムと、
前記第１のプリズムから入射された光束を少なくとも一回反射させてから射出する第２のプリズムと、
前記第１のプリズムと前記第２のプリズムとの間に配置され前記光束の有効断面積を規制する絞部材と、
前記第１のプリズムに入射される光束の入射光軸および前記第２のプリズムから射出される光束の射出光軸が倣う仮想平面に対して交差する方向へ前記第１のプリズムの非光学面から延びる第１の保持ピースと、
前記仮想平面に対して交差する方向へ前記第２のプリズムの非光学面から延びる第２の保持ピースと、
前記仮想平面を隔てる少なくとも２つ設けられ前記第１のプリズムおよび前記第２のプリズムの少なくとも一方から延びて他方に当接するボスと、
前記入射光軸および前記射出光軸を横切る方向へ延びる基準面に沿って前記第２のプリズムの射出側から前記第１の保持ピースを支持する第１の受部および前記第２の保持ピースを支持する第２の受部が形成されたプリズムホルダと、
前記プリズムホルダに設けられ、前記第１の保持ピースおよび前記第２の保持ピース側へかしめられることで前記第１のプリズムと前記第２のプリズムを前記プリズムホルダに位置決めする固定片と
を備えることを特徴とする撮像装置。
【請求項１８】
入射された光束を少なくとも一回反射させてから射出する第１のプリズムと、
前記第１のプリズムから入射された光束を少なくとも一回反射させてから射出する第２のプリズムと、
前記第１のプリズムと前記第２のプリズムとの間に配置され前記光束の有効断面積を規制する絞部材と、
前記第１のプリズムに入射される光束の入射光軸および前記第２のプリズムから射出される光束の射出光軸が倣う仮想平面に対して交差する方向へ前記第１のプリズムの非光学面から延びる第１の保持ピースと、
前記仮想平面に対して交差する方向へ前記第２のプリズムの非光学面から延びる第２の保持ピースと、
前記仮想平面を隔てる少なくとも２つ設けられ前記第１のプリズムおよび前記第２のプリズムの少なくとも一方から延びて他方に当接するボスと、
前記入射光軸および前記射出光軸を横切る方向へ延びる基準面に沿って前記第２のプリズムの射出側から前記第１の保持ピースを支持する第１の受部および前記第２の保持ピースを支持する第２の受部が形成されたプリズムホルダと、
前記プリズムホルダに取り付けられることによって、前記基準面との間に前記第１の保持ピースおよび前記第２の保持ピースを挟み込み、かつ、前記第１のプリズムと第２のプリズムを互に寄せ合う方向へ付勢するプリズム留め具と、
前記第２のプリズムから射出された光束を受光する撮像素子と、
前記撮像素子で検出した電気信号を画像データに変換する画像処理回路と、
前記撮像素子および前記画像処理回路が実装された基板と、
前記基板が前記プリズムホルダと反対側に固定され前記プリズムホルダを前記射出光軸に沿って変位可能に嵌合する固定枠と、
前記プリズムホルダと前記固定枠との間に装着され操作されることによって前記プリズムホルダを前記射出光軸に沿って前記固定枠から離す方向へ変位させ前記撮像素子に対する光学系の焦点位置を微調整する焦点補正カムと、
前記プリズムホルダと前記固定枠との間に装着され操作されることによって前記プリズムホルダを前記射出光軸に沿って前記固定枠から離す方向へ変位させ前記撮像素子に対する光学系の焦点距離を標準位置またはマクロ位置のいずれかに保持する切換カムと、
前記第１のプリズムに入射される光束を規制する四角形の入射窓を有し前記プリズムホルダを隔てて前記固定枠に連結されるカバー部材と、
前記カバー部材と前記プリズムホルダとの間に配置され前記プリズムホルダを前記固定枠側に付勢する戻しバネと、
前記入射窓に装着される防塵用の透明カバーと
を備えることを特徴とする撮像装置。
【請求項１９】
前記焦点補正カムおよび前記切換カムは、前記第１のプリズムと前記第２のプリズムとを囲う円環状に設けられ、
前記焦点補正カムは、前記固定枠側に面したカム面を有しており、
前記切換カムは、前記プリズムホルダ側に面したカム面を有しており、
前記焦点補正カムと前記切換カムとは、前記射出光軸に直交する面で摺接する
ことを特徴とする請求項１８に記載の撮像装置。
【発明の詳細な説明】
【技術分野】
【０００１】
本発明は、光学系として２つのプリズムを有し、特にこれらの支持構造に特徴を有する撮像装置に関する。
【背景技術】
【０００２】
カメラ付携帯電話等の電子機器に組み込まれる撮像装置は、小型で高画質なものが求められている。一つの軸線に沿って光軸が配置される共軸光学系の場合、高品質の画像を提供するには多数のレンズを並べる必要があるため、光軸方向の大きさを小さくすることに限界がある。そこで、反射面で光軸を折り返すことにより実効光路長を確保することのできるプリズムを用いた偏心光学系を採用する撮像装置がある。
【０００３】
特許文献１に記載されたファインダ装置は、対物光学系と、接眼光学系と、これらの間に配置される視野規制部材と、これらを囲うように保持する枠体及び蓋部材を有している。視野規制部材は、弾性位置決部が一体に形成されている。弾性位置決部は、接眼光学系を構成するプリズムの入射面に直交する面と蓋部材との間に差し挟まれ、このプリズムを枠体に押し当てて、位置決めしている。
【０００４】
特許文献２に記載された撮像装置は、第１のプリズムと、第２のプリズムと、これらを支持する保持部材とを備える。第１のプリズム及び第２のプリズムは、光学面の一つに自由曲面を有している。自由曲面とは、入射光軸と射出光軸とが通る面に対して鏡像で、光軸を中心に回転非対称な曲面である。保持部材は、プリズム保持部と撮像素子保持部とが一体成形されている。第１のプリズムと第２のプリズムとは、両側から挟むようにプリズム保持部に取り付けられる。撮像素子保持部には、撮像素子が配置される。
【特許文献１】特開２００２−１９６３９６号公報
【特許文献２】特開２００５−６２３４８号公報
【発明の開示】
【発明が解決しようとする課題】
【０００５】
特許文献１に記載されたファインダ装置において、視野規制部材は、板バネの機能も併せ持つことで、接眼光学系のプリズムを押さえているに過ぎない。したがって、２つのプリズムを相対的に位置決めする機能はもとあわせていない。また、ファインダ装置の場合、ある程度に結像された映像が人間の目を通して見えていれば良い。したがって、プリズムの寸法精度及び位置決精度は、それほど高い精度を必要としない。
【０００６】
これに対して特許文献２に記載の撮像装置の場合、プリズムを構成する各屈折面の形状に対する高い寸法精度、およびこれら屈折面どうしの位置決め精度が要求される。したがって、特許文献１に記載されたようにプリズムの側面部を位置決に使用する方法は、屈折面を歪ませたり、屈折面どうしの相対位置を狂わせたりする原因となるため、撮像装置用のプリズムを位置決めする方法として不適当である。
【０００７】
また、回転対称な共軸光学系のレンズの場合、屈折面の外周に高い精度の位置決め面を設けることは容易であるが、偏心光学系のプリズムの場合、自由曲面に形成される屈折面の外周に位置決め面を設けることは、金型構造上困難であるとともに、小型化には適さない。
【０００８】
特に、特許文献２に記載の撮像装置のように、保持部材にプリズムを固定する場合、第１のプリズムと第２のプリズムの間隔を決めるために、接着剤などが使用されることになる。撮像素子と２つのプリズムとの距離および角度などの相対位置関係を維持するために、接着が固まるまでの間これらを保持しつづけなければならない。また、光学面へ接着剤がはみ出ることなくかつ接合強度が得られるために、十分な接着面積も必要である。その結果、プリズムを一時的に保持するための突起をプリズムの側面に設ける必要がある。
【０００９】
また、携帯電話など携帯型の電子機器に実装される小型の撮像装置の更なる機能として、光学ズームや焦点の微調整など、プリズム光学系の焦点距離や焦点位置を物理的に変位させる機能が求められているが、特許文献１に記載のファインダ装置や特許文献２に記載の撮像装置は、どちらもこの機能を備えていない。
【００１０】
そこで、本発明は、各部品が小さくても組立工程が簡単でかつ十分な組立精度が得られる撮像装置を提供する。
【課題を解決するための手段】
【００１１】
本発明に係る撮像装置は、第１のプリズムと、第２のプリズムと、絞部材と、第１の保持ピースと、第２の保持ピースと、ボスと、プリズムホルダと、プリズム留め具とを備える。第１のプリズムは、入射された光束を少なくとも一回反射させてから射出する。第２のプリズムは、第１のプリズムから入射された光束を少なくとも一回反射させてから射出する。絞部材は、第１のプリズムと第２のプリズムとの間に配置され、光束の有効断面積を規制する。第１の保持ピースは、仮想平面に対して交差する方向へ第１のプリズムの非光学面から延びる。第２の保持ピースは、仮想平面に対して交差する方向へ第２のプリズムの非光学面から延びる。ここで、仮想平面は、第１のプリズムに入射される光束の入射光軸および第２のプリズムから射出される光束の射出光軸が倣う面である。ボスは、仮想平面を隔てて少なくとも２つ設けられ、第１のプリズムおよび第２のプリズムの少なくとも一方から延びて他方に当接する。プリズムホルダは、入射光軸および射出光軸を横切る方向へ延びる基準面に沿って第２のプリズムの射出側から、第１の保持ピースを支持する第１の受部および第２の保持ピースを支持する第２の受部が形成される。プリズム留め具は、プリズムホルダに取り付けられることによって、基準面との間に第１の保持ピースおよび第２の保持ピースを挟み込み、かつ、第１のプリズムと第２のプリズムを互に寄せ合う方向へ付勢する。
【００１２】
この場合、第１のプリズムおよび第２のプリズムは、仮想平面に対して鏡像でかつ回転非対称な自由曲面形状に形成された光学面を少なくとも１つそれぞれ有する。また、プリズムホルダは、プリズム位置決面を有する。プリズム位置決面は、第１のプリズムおよび第２のプリズムが並ぶ方向を横切る向きで第２のプリズムに対して第１のプリズムと反対側に配置され、第２の保持ピースが当接する。プリズム留め具は、嵌合片を備える。この嵌合片は、第２のプリズムと反対側から第１の保持ピースに当接して第１のプリズムおよび第２のプリズムをプリズム位置決面に寄せる。
【００１３】
第１の受部および第２の受部は、頂部が基準面に位置する球状凸形に形成し、第１のプリズムおよび第２のプリズムをそれぞれ３か所で支持することが好ましい。また、プリズム留め具は、第１の受部および第２の受部をそれぞれ頂点とする三角形の内側に対応する位置で第１の保持ピースおよび第２の保持ピースに当接する球状凸部を備えることも好ましい。
【００１４】
プリズムホルダは、位置決凸条を備えることも好ましい。位置決凸条は、プリズムホルダの内面側に設けられ、仮想平面と平行に配置される非光学面である第１のプリズムおよび第２のプリズムの側面に摺接する。また、プリズムホルダは、第２の保持ピースと反対側の第１の保持ピースの端面に向かって傾斜するテーパ部を備えることも好ましい。この場合、プリズム留め具の嵌合片は、第２の保持ピースと反対側の第１の保持ピースの端面とテーパ部との間に差込まれる楔形に形成する。そして、プリズム留め具がプリズムホルダに取り付けられることによって、嵌合片は、第１の保持ピースを第２の保持ピース側に向かって付勢する。
【００１５】
また、プリズムホルダおよびプリズム留め具は、非光学面から離れた第１の保持ピースの端部および第２の保持ピースの端部とともに形成する空間を設けることも好ましい。この空間に接着剤を充填することで、第１のプリズムおよび第２のプリズムをプリズムホルダおよびプリズム留め具の間に固定する。
【００１６】
また、プリズム留め具は、光学的に透過性を有した材料で形成し、第１の保持ピースおよび第２の保持ピースを紫外線硬化型の接着剤でプリズムホルダに固定する。または、プリズム留め具は、プリズムホルダに融着することで、プリズムホルダとの間に第１の保持ピースおよび第２の保持ピースを位置決することも好ましい。この場合、プリズムホルダとプリズム留め具とは、超音波によって融着する。もしくは、プリズムホルダとプリズム留め具とは、レーザービームによって融着する。さらに、プリズムホルダは、プリズム留め具が嵌り込む段差部を有し、プリズムホルダとプリズム留め具とは、段差部で融着されることも好ましい。
【００１７】
また、プリズム留め具は、プレート部材を折曲げて構成することも好ましい。このプリズム留め具は、第１の板バネ部と、第２の板バネ部と、第３の板バネ部とを備える。第１の板バネ部は、第１の保持ピースを第１の受部に向けて付勢する。第２の板バネ部は、第２の保持ピースを第２の受部に向けて付勢する。第３の板バネ部は、第１のプリズムおよび第２のプリズムを互に寄せ合う方向へ付勢する。
【００１８】
また、プリズムホルダとプリズム留め具とは、一方に爪部を、他方に係止部を備え、互に離れる方向に係止するように設けることも好ましい。この場合、爪部は、プリズムホルダの外周部に設け、係止部は、プリズム留め具の外周から爪部に覆い被せて設ける。
【００１９】
本発明に係る他の形態の撮像装置は、プリズム留め具の代わりに固定片を備える。固定片は、第１の保持ピースおよび第２の保持ピースに隣り合う位置のプリズムホルダに設ける。固定片は、第１の保持ピースおよび第２の保持ピース側へ熱もしくは超音波によってかしめられ、第１のプリズムと第２のプリズムとをプリズムホルダに位置決めする。
【００２０】
本発明に係るさらに他の形態の撮像装置は、上記構成に加えて、撮像素子と、画像処理回路と、基板と、固定枠と、焦点補正カムと、切換カムと、カバー部材と、戻しばねと、透明カバーとを備える。撮像素子は、第２のプリズムから射出された光束を受光する。画像処理回路は、撮像素子で検出した電気信号を画像データに変換する。基板は、撮像素子および画像処理回路が実装される。固定枠は、基板を底面に固定し、プリズムホルダを射出光軸に沿って変位可能に嵌合する。焦点補正カムは、プリズムホルダと固定枠との間に装着され、操作されることによってプリズムホルダを射出光軸に沿って固定枠から離す方向へ変位させ、撮像素子に対する光学系の焦点位置を微調整する。切換カムは、プリズムホルダと固定枠との間に装着され、操作されることによってプリズムホルダを射出光軸に沿って固定枠から離す方向へ変位させ、撮像素子に対する光学系の焦点距離を標準位置またはマクロ位置のいずれかに位置決めする。カバー部材は、第１のプリズムに入射される光束を規制する四角形の入射窓を有し、プリズムホルダを隔てて固定枠に取り付けられるされる。戻しバネは、カバー部材とプリズムホルダとの間に配置され、プリズムホルダを固定枠側に付勢する。透明カバーは、防塵のために入射窓に装着される。
【００２１】
この場合、焦点補正カムおよび切換カムは、第１のプリズムと第２のプリズムとを囲う円環状に設ける。焦点補正カムは、固定枠側に面したカム面を有しており、切換カムは、プリズムホルダ側に面したカム面を有している。そして、焦点補正カムと切換カムとは、射出光軸に直交する面で摺接する。
【発明の効果】
【００２２】
本発明の撮像装置によれば、第１のプリズムと第２のプリズムは、プリズムホルダとプリズム留め具との間に挟まれる。この結果、第１の保持ピースと第２の保持ピースが第１の受部および第２の受部に支持されることによって入射光軸に対する射出光軸の平行度が位置決めされ、互いの距離、および第１のプリズムから射出されて第２プリズムに入射される光束の光軸が仮想平面に沿う真直度がボスによって位置決めされる。
【００２３】
したがって、この撮像装置の第１のプリズムと第２のプリズムとの相対的な位置決は、特別な装置で行う必要が無く、互に組合せればよいだけであるので容易である。また、第１のプリズムおよび第２のプリズムが小さい場合にも、特別な装置を必要とすることなく第１のプリズムと第２のプリズムとの位置決および保持を容易に行うことができ、組立工程を簡素なものにすることができる。
【発明を実施するための最良の形態】
【００２４】
本発明に係る第１の実施形態の撮像装置１について、図１から図１２を参照して説明する。図１に示すデジタルカメラ１００は、ハウジング１０２の外部に面してレリーズボタン１０３、フラッシュ１０４、撮像窓１０５、画像表示部１０６（図２参照）が配置され、撮像装置１、システムコントローラ１０７、記録手段としての記録部１０８を図２に示すように内蔵している。
【００２５】
レリーズボタン１０３は、操作部の１つである。操作部として、この他に電源ボタン、表示切替ボタン、撮像モード切替ボタン、ズームボタン、フラッシュ作動ボタンなど、撮影する際に使用されるボタンの他、撮影した画像を編集するための編集操作キーなどが設けられる。操作部として、画像表示部１０６にタッチパネルを装着しても良い。
【００２６】
画像表示部１０６は、液晶ディスプレイや有機エレクトロルミネッセンスディスプレイなどの薄型ディスプレイである。撮像装置１は、撮像窓１０５の内側に配置される。撮像窓１０５は、撮像光学系を構成する光学要素の１つである。記録部１０８は、適用されるカード状の記録媒体１０９を備える。記録媒体１０９は、ハウジング１０２に設けられるリッド１１０を開けると、取外すことができる。
【００２７】
撮像装置１は、図５に示すように、プリズムユニット１０と、撮像素子２１と、画像処理回路２２と、基板２３と、固定枠３１と、焦点補正カム４１と、切換カム４２と、カバー部材３２と、戻しバネ４３と、透明カバー３３とを備える。撮像光学系の主要部を構成するプリズムユニット１０は、図６に示すように第１のプリズム１１と、第２のプリズム１２と、絞部材１３と、第１の保持ピース１１１と、第２の保持ピース１２１と、ボス１２２と、プリズムホルダ１４と、プリズム留め具１５とによって構成される。
【００２８】
図４に示すように第１のプリズム１１は、光学面として、第１の入射面１１ａと、回転非対称な第１の反射面１１ｂと、第１の射出面１１ｃとを備える偏心プリズムである。第１のプリズム１１は、第１の入射面１１ａから入射された光束を第１の反射面１１ｂで反射し、第１の射出面１１ｃから射出する。第２のプリズム１２は、光学面として、第２の入射面１２ａと、第２の反射面１２ｂ，１２ｃと、第２の射出面１２ｄとを備える偏心プリズムである。第２の反射面１２ｂ，１２ｃのうち少なくとも一方は回転非対称な面に形成されている。第２のプリズム１２は、第１のプリズム１１から射出された光束が第２の入射面１２ａから入射され、第２の反射面１２ｂ，１２ｃでそれぞれ反射したのち、第２の射出面１２ｄから射出する。
【００２９】
プリズムユニット１０は、２つの偏心プリズムで構成される偏心光学系の一例であり、第１のプリズム１１に入射される光束の入射光軸λｉと第２のプリズム１２から射出される光束の射出光軸λｏとがほぼ平行に配置される。第１のプリズム１１および第２のプリズム１２の各光学面は、入射光軸λｉおよび射出光軸λｏが倣う仮想平面αに対して鏡像で、かつ、回転非対称の自由曲面に形成されている。
【００３０】
第１のプリズム１１と第２のプリズム１２とは、図４に示すように入射光軸λｉと射出光軸λｏとが偏心している方向へ並べて配置されている。絞部材１３は、第１のプリズム１１と第２のプリズム１２との間に配置され、第１のプリズム１１から第２のプリズム１２へ向かう光束の有効断面積を規制する絞孔１３１を有している。
【００３１】
第１の保持ピース１１１は、図６および図９に示すように仮想平面αに対して交差する方向へ第１のプリズム１１の非光学面となる側面１１ｅから延びている。第２の保持ピース１２１は、図６および図１１に示すように仮想平面αに対して交差する方向へ第２のプリズム１２の非光学面となる側面１２ｅから延びる。第１の保持ピース１１１および第２の保持ピース１２１は、図１２に示すように、入射光軸λｉおよび射出光軸λｏに直交する向きに配置される入射側面および射出側面をそれぞれ有している。入射側面と射出側面との間隔は、第１の保持ピース１１１と第２の保持ピース１２１とにおいて等間隔に設けられている。
【００３２】
ボス１２２は、図６および図１０に示すように仮想平面αを隔てて一対に少なくとも２つ設けられる。ボス１２２は、第２のプリズム１２の第２の入射面１２ａの脇から第１のプリズム１１に向かって延びている。ボス１２２の先端部は、球面状に形成されており、絞部材１３に設けられた貫通孔１３２を通って、第１の射出面１１ｃの脇に当接する。なお、ボス１２２は、第１の射出面１１ｃの脇から第２のプリズム１２に向かって延びていても良い。
【００３３】
プリズムホルダ１４は、環状に形成され、第１の受部１４１、第２の受部１４２、プリズム位置決面１４３、テーパ部１４４、位置決凸条１４５を備える。第１の受部１４１は、第２の射出面１２ｄ側から第１の保持ピース１１１を支持する。第１の受部１４１は、３つ設けられ、図８において、仮想平面αの右側に２つ、左側に１つ配置されている。第２の受部１４２は、第２の射出面１２ｄ側から第２の保持ピース１２１を支持する。第２の受部１４２は、３つ設けられ、図８において、仮想平面αの左側に１つ、右側に２つ配置されている。
【００３４】
第１の受部１４１および第２の受部１４２は、球状凸形に形成され、図４，９，１０，１２に示すように頂部が入射光軸λｉおよび射出光軸λｏを横切る方向へ広がる基準面βに位置する。また、第１の受部１４１および第２の受部１４２をそれぞれ頂点とする三角形の重心点は、仮想平面α上にあることが好ましい。プリズム位置決面１４３は、図１２に示すように、第１のプリズム１１および第２のプリズム１２が並ぶ方向を横切る向きで第２のプリズム１２に対して第１のプリズム１１と反対側に配置され、第２の保持ピース１２１が当接する。
【００３５】
テーパ部１４４は、第１のプリズム１１と第２のプリズム１２とが並ぶ方向へ第１の受部１４１および第２の受部１４２を隔ててプリズム位置決面１４３と反対の位置に設けられている。このテーパ部１４４は、第２の保持ピース１２１と反対側の第１の保持ピース１１１の端面１１１ａに向かって傾斜する。図６から図８に示すように、位置決凸条１４５は、プリズムホルダ１４の内面側に設けられ、第１のプリズム１１の側面１１ｅおよび第２のプリズム１２の側面１２ｅに摺接する。なお、第１のプリズム１１および第２のプリズム１２の側面１１ｅ，１２ｅは、仮想平面αと平行に配置される非光学面である。
【００３６】
プリズム留め具１５は、図７に示すように嵌合片１５１と球状凸部１５２とを備える。嵌合片１５１は、入射光軸λｉに沿う方向へプリズム留め具１５からプリズムホルダ１４に向かって突出する楔形に形成されており、第２の保持ピース１２１と反対側の第１の保持ピース１１１の端面１１１ａとテーパ部１４４との間に差込まれる。
【００３７】
球状凸部１５２は、第１の保持ピース１１１および第２の保持ピース１２１にそれぞれ１つずつ対応して設けられている。特に、各球状凸部１５２は、第１の受部１４１および第２の受部１４２をそれぞれ頂点とする三角形の内側に対応する位置で、第１の保持ピース１１１および第２の保持ピース１２１に当接させると、第１の保持ピース１１１や第２の保持ピース１２１が基準面βから浮き上がることを適確に防止することができる。
【００３８】
以上のように構成されたプリズムユニット１０は、以下の手順で組み合わされる。まず、第１のプリズム１１と第２のプリズム１２の間に絞部材１３を挟みこむ。この状態の物を第１の受部１４１、第２の受部１４２、プリズム位置決面１４３、テーパ部１４４、位置決凸条１４５がそれぞれ形成されたプリズムホルダ１４に落とし込む。これにより、第１のプリズム１１および第２のプリズム１２は、位置決凸条１４５によって、仮想平面αを横切る方向について位置決される。
【００３９】
次に、プリズム留め具１５をプリズムホルダ１４に装着すると、第１の保持ピース１１１および第２の保持ピース１２１が基準面βに押し当てられるので、入射光軸λｉと射出光軸λｏが平行に位置決される。特に、第１の受部１４１および第２の受部１４２が、基準面βに沿って３か所ずつ配置され、これらを頂点とする三角形の内側をプリズム留め具１５に設けられた球状凸部１５２で押圧する。したがって、第１のプリズム１１および第２のプリズム１２が、がたつくことなく保持される。
【００４０】
また、嵌合片１５１がテーパ部１４４と迫合い、第２のプリズム１２側に移動することによって、第１の保持ピース１１１は、第２のプリズム１２側に向かって押圧される。第１のプリズム１１が基準面βに沿って付勢されるので、ボス１２２を介して第２のプリズム１２も基準面βに沿って付勢される。第２の保持ピース１２１は、プリズム位置決面１４３に押し当てられる。
【００４１】
この結果、第１のプリズム１１および第２のプリズム１２は、これらが並ぶ方向に位置決保持される。なお、絞部材１３は、図１０に示すように、ボス１２２によって位置決される以外、プリズムホルダ１４およびプリズム留め具１５に対して隙間を有している。
【００４２】
本実施形態では、プリズムホルダ１４に対してプリズム留め具１５を固定するために、接着剤Ｇを用いる。塗布した接着剤Ｇが光学面側にはみ出ることがないように、接着剤Ｇは、第１のプリズム１１および第２のプリズム１２の非光学面となる側面１１ｅ，１２ｅ側に設けられる第１の保持ピース１１１および第２の保持ピース１２１とプリズムホルダ１４との間に塗られる。
【００４３】
プリズムホルダ１４およびプリズム留め具１５は、側面１１ｅ，１２ｅから離れた第１の保持ピース１１１の端部１１１ｂおよび第２の保持ピース１２１の端部１２１ｂとの間に隙間を設けることで、接着剤溜Ｐを形成している。プリズムホルダ１４に形成された接着剤溜Ｐの開口幅は、適正量を塗布できるように、接着剤Ｇを供給するディスペンサの先端ノズルの太さ程度で、約０．３〜０．７ｍｍ程度である。接着剤溜Ｐは、基準面βに向かって、テーパ状に狭まっている。
【００４４】
接着剤Ｇは、プリズムホルダ１４に第１のプリズム１１、第２のプリズム１２および絞部材１３を落とし込んだ状態で、ディスペンサによって注入される。このとき、第１の受部１４１および第２の受部１４２が設けられているため、接着剤Ｇは、第１の保持ピース１１１および第２の保持ピース１２１と第１の受部１４１および第２の受部１４２の周囲との間にも流入する。第１の受部１４１および第２の受部１４２の回りに塗布された接着剤Ｇが第１のプリズム１１の側面１１ｅおよび第２のプリズム１２の側面１２ｅに流れ出さないように、バリア１４６が図８〜１１に示すように第１のプリズム１１および第２のプリズム１２寄りの角部に沿って設けられている。
【００４５】
なお、接着剤溜Ｐの開口部１４７や第１の保持ピース１１１および第２の保持ピース１２１よりも入射側に、接着剤Ｇを盛り上げた状態で、プリズム留め具１５を取り付けると良い。このようにすることによって、接着剤Ｇが第１の保持ピース１１１および第２の保持ピース１２１とプリズム留め具１５との間にも充填される。
【００４６】
以上のように、接着剤Ｇを充填することで、第１のプリズム１１および第２のプリズム１２をプリズムホルダ１４およびプリズム留め具１５の間に固定する。接着剤溜Ｐやバリア１４６を設けているので、充填した接着剤Ｇが、第１の保持ピース１１１および第２の保持ピース１２１の外周に満遍なく回り込みやすく、接着面積を拡大できる。その結果、第１のプリズム１１および第２のプリズム１２がしっかりと固定される。
【００４７】
接着剤Ｇとして、紫外線硬化型の合成樹脂を用いる場合は、光学的に透過性を有した材料、特に紫外線の透過率が高い材料でプリズム留め具１５を形成する。紫外線硬化型の合成樹脂を接着剤Ｇとして用いることで、合成樹脂を塗布したあと、第１のプリズム１１および第２のプリズム１２が位置決されるまでに十分な時間を取ることができるとともに、プリズム留め具１５をプリズムホルダ１４に押さえ込んだ状態で紫外線を照射し、素早く固定することができる。
【００４８】
また、接着剤Ｇを用いる代わりに、図１３、図１４に示すようにプリズム留め具１５をプリズムホルダ１４に融着しても良い。融着部Ｙは、片側が解けてもう一方に密着するように接合されてもよいし、両方ともに融けて交じり合って接合されても良い。融着によってプリズムホルダ１４にプリズム留め具１５を固定することで、プリズムユニット１０の組立時間を大幅に短縮することができる。プリズム留め具１５側には、確実に接合面積を確保するために、プリズムホルダ１４側に突出する余肉を外周縁に沿って設けている。
【００４９】
この場合、図１３、図１４に示すようにプリズム留め具１５を撓ませて付勢力を有した状態で固定できるように、第１の保持ピース１１１および第２の保持ピース１２１にプリズム留め具１５が接触する状態で、プリズム留め具１５とプリズムホルダ１４との間にやや隙間ができる寸法に作る。
【００５０】
図８に示す融着部Ｙで接合されることにより、プリズム留め具１５の撓み力を利用して第１のプリズム１１および第２のプリズム１２をしっかりと固定することができる。なお、融着する部位は、図８に示したように部分的なものであっても良いし、全周にわたって行っても良い。また、融着は、超音波で行う超音波融着、ヒータ熱源による熱融着、レーザービームによるレーザ融着のいずれでも良い。また、接着剤Ｇと融着とを併用して固定しても良い。
【００５１】
なお、プリズム留め具１５をプリズムホルダ１４に接着する場合、プリズムホルダ１４とプリズム留め具１５は、線膨張係数などが同じ材質の方が接着強度が高い。また、融着で固定する場合にも共材どうしである方が接合強度は高い。したがって、プリズムホルダ１４およびプリズム留め具１５を合成樹脂で成形する場合、ポリカーボネート製にすることが好ましい。
【００５２】
撮像素子２１は、図４、図５に示すように基板２３に対してプリズムユニット１０と反対側から実装され、第２のプリズム１２から射出された光束を受光する。撮像素子２１は、例えば、フォトダイオードなど光を電気信号に変換する半導体素子が受光面に多数並べられたＣＣＤ（Charge-Coupled Device）である。図５に示すように第２のプリズム１２側に面した基板２３には、カバーガラス２４が取り付けられる。カバーガラス２４は、フィルタであっても良い。
【００５３】
画像処理回路２２は、図２に示すように基板２３に実装され、撮像素子２１で検出した電気信号を画像データに変換する。基板２３の縁には、図４、図５に示すようにシステムコントローラ１０７につながるフレキシブル配線２５が取り付けられている。固定枠３１は、基板２３の４つの角に対応して設けられた脚部３１１によって、図３および図４に示すようにプリズムホルダ１４と反対側に基板２３を保持している。
【００５４】
また、固定枠３１は、図５に示すように円筒部３１２とステム３１３とを備える。円筒部３１２は、脚部３１１を頂点とする四角形に内接するよりもひと回り小さい外径を有している。プリズムユニット１０は、この円筒部３１２に対して、射出光軸λｏに沿って変位可能に嵌合する。ステム３１３は、円筒部３１２に装着されたプリズムユニット１０より外側に配置され、脚部３１１と反対側に向かって延びる。
【００５５】
焦点補正カム４１と切換カム４２とは、図５に示すようにプリズムホルダ１４と固定枠３１との間に装着される。焦点補正カム４１と切換カム４２は、プリズムユニット１０および固定枠３１の円筒部３１２に外嵌する円環形状であり、中心軸に沿う方向へ変位するカム面４１１，４２１をそれぞれ３か所に等配に備えている。
【００５６】
焦点補正カム４１のカム面４１１は、一定の変化量で連続的になだらかに変化する。切換カム４２のカム面４２１は、焦点距離が標準撮像距離となる第１の位置、または、焦点距離がマクロ撮像距離となる第２の位置のいずれかに、撮像素子２１に対してプリズムユニット１０を二値的に変位させる２つのフラット部４２２，４２３とこれをつなぐスロープ部４２４を有する。
【００５７】
また、それぞれのカム面４１１，４２１と反対側の面には、摺動パッド４１５，４２５が形成されている。焦点補正カム４１と切換カム４２とは、射出光軸λｏに直交する面において、互の摺動パッド４１５，４２５を当接させて配置される。
【００５８】
焦点補正カム４１は、図５に示すように固定枠３１側にカム面４１１を向けて装着される。焦点補正カム４１のカム面４１１に対向する固定枠３１に、支持パッド３１５が設けられている。焦点補正カム４１の外周には、数か所に、本実施形態では、図５に示すようにカム面４１１の近傍にノッチ４１６が設けられている。
【００５９】
焦点補正カム４１は、図３に示すように組み立てられた状態で外部からノッチ４１６を操作できるように設けられる。焦点補正カム４１は、図３に示すように撮像装置１が組み立てあがった後で、ノッチ４１６に専用治具などが掛けられて回動され、実際に撮像素子から取得される画像データを基に調整され、その後、固定枠３１に接着固定される。
【００６０】
切換カム４２は、図５に示すようにプリズムホルダ１４側にカム面４２１を向けて装着される。また、切換カム４２のカム面４２１に対向するプリズムホルダ１４に、図７に示すように支持パッド１４８が設けられている。切換カム４２は、図３に示すように半径方向に固定枠３１よりも外側に向かって延びるハンドル４２６を備えている。ハンドル４２６は、ハウジング１０２の外面から操作できるように設けられたスライドレバーあるいは、ハウジング１０２に内蔵される駆動ユニットの作動子に連結される。ハンドル４２６が操作されて切換カム４２が回動すると、プリズムユニット１０は、第１の位置か第２の位置のどちらかに位置決される。
【００６１】
カバー部材３２は、第１のプリズム１１に入射される光束の外形を規制する四角形の入射窓３２１を有している。防塵のために透明カバー３３が入射窓３２１に接着剤Ｇで取り付けられる。充填された接着剤Ｇが入射窓３２１の内側にはみ出さないように、図４、図５に示すように溝３２２が入射窓３２１の外周に形成されている。カバー部材３２は、プリズムホルダ１４に対して固定枠３１と反対側に配置され、固定枠３１のステム３１３の先端に接着または融着される。
【００６２】
戻しバネ４３は、図５に示すようにプリズムホルダ１４とカバー部材３２との間に配置され、プリズムホルダ１４を固定枠３１に向けて付勢する。戻しバネ４３は、プリズムユニット１０を撮像素子２１へ近づける方向へ焦点補正カム４１および切換カム４２が操作された場合に、プリズムユニット１０を撮像素子２１側へ押し戻す。本実施形態における戻しバネ４３は、コイルスプリングであるが、中心軸方向に撓むものであれば良い。したがって、中心軸方向へ波打つリング状の線細工バネであっても良い。
【００６３】
以上のように構成された撮像装置１は、第１のプリズム１１と第２のプリズム１２をプリズムホルダ１４に凹設された第１の受部１４１および第２の受部１４２に落とし込み、プリズム留め具１５を取り付けることによって、第１のプリズム１１と第２のプリズム１２との相対的な位置決が行われる。この位置決によって、撮像装置１は、入射光軸λｉに対する射出光軸λｏの平行度、並びに、第１のプリズム１１から第２のプリズム１２へ向かう光束の光軸の捻れについて、アラインメントが行われる。したがって、第１のプリズム１１および第２のプリズム１２を個々に調整するアラインメントの工程が省略されるため、組立製造コストを軽減することができる。
【００６４】
本発明に係る第２の実施形態の撮像装置について、図１５，１６を参照して説明する。なお、プリズムホルダ１４およびプリズム留め具１５以外の構成は、第１の実施形態に記載の撮像装置１と同じであるので、第１の実施形態の記載を参照するものとし、ここでの記載を省略する。
【００６５】
図１５および図１６に示すプリズムホルダ１４は、プリズム留め具１５の外周縁が嵌り込む段差部１４９を有している。この段差部１４９は、全周にわたるものであっても良いし、部分的に設けられているものでも良い。重なり部となる段差部１４９の内周面とプリズム留め具１５の外周面との間は、レーザービームによって融着される。このように、剪断荷重が働くように融着による接合面を設定することにより、互いの接合強度が増す。
【００６６】
なお、段差部１４９の底部とプリズム留め具１５とを超音波によって融着することで、予め仮固定しても良い。この場合、プリズム留め具１５がプリズムホルダ１４の縁よりも高くなるように設けることで、融着ホーンがプリズムホルダ１４に干渉しない。また、第１の保持ピース１１１および第２の保持ピース１２１とプリズムホルダ１４との間にできる隙間に接着剤を充填しても良い。
【００６７】
本発明に係る第３の実施形態の撮像装置について、図１７を参照して説明する。なお、プリズムホルダ１４およびプリズム留め具１５以外の構成は、第１の実施形態に記載の撮像装置１と同じであるので、第１の実施形態の記載を参照するものとし、ここでの記載を省略する。
【００６８】
図１７に示す撮像装置のプリズム留め具１５は、第１のプリズム１１および第２のプリズム１２が並ぶ延長上において、プリズムホルダ１４の外周に覆い被さる。プリズムホルダ１４の外周には、爪部１６１が設けられている。プリズム留め具１５側には、爪部１６１と嵌合する係止部１６２が設けられている。なお、プリズムホルダ１４側に溝を設け、プリズム留め具１５側に溝に係合する内向きの爪部を設けても良い。
【００６９】
このように、プリズム留め具１５をプリズムホルダ１４に係合させることによって固定することで、第１のプリズム１１および第２のプリズム１２の位置決を伴う組立作業が簡素化される。
【００７０】
本発明に係る第４の実施形態の撮像装置について、図１８、図１９を参照して説明する。なお、プリズムホルダ１４およびプリズム留め具１５以外の構成は、第１の実施形態に記載の撮像装置１と同じであるので、第１の実施形態の記載を参照するものとし、ここでの記載を省略する。
【００７１】
図１９に示すプリズム留め具１５は、１枚のプレート部材をプレスで型抜きし、成形加工されて作られている。プリズム留め具１５は、第３の実施形態のプリズム留め具１５と同じように第１のプリズム１１と第２のプリズム１２とが並ぶ延長上において、プリズムホルダ１４の外周に覆い被さるように折曲げられている。プリズムホルダ１４の外周面には、爪部１６１が設けられ、これに対応してプリズム留め具１５には、係止部１６２が設けられている。
【００７２】
また、プリズム留め具１５は、第１の板バネ部１７１と、第２の板バネ部１７２と、第３の板バネ部１７３とを備える。第１の板バネ部１７１は、第１の保持ピース１１１を第１の受部１４１に向けて付勢する。第２の板バネ部１７２は、第２の保持ピース１２１を第２の受部１４２に向けて付勢する。第３の板バネ部１７３は、第１の保持ピース１１１の端面１１１ａと第２の保持ピース１２１の端面１２１ａにそれぞれ当接し、第１のプリズム１１と第２のプリズム１２とを互に寄せ合う方向へ第１の保持ピース１１１と第２の保持ピース１２１を付勢する。
【００７３】
第１の板バネ部１７１および第２の板バネ部１７２によって、第１のプリズム１１および第２のプリズム１２は、入射光軸λｉと射出光軸λｏとが平行にアラインメントされる。また、第３の板バネ部１７３によって、第１のプリズム１１と第２のプリズム１２との相対距離が保持され、第１のプリズム１１から第２のプリズム１２へ向かう光束の光軸が仮想平面αに沿うように位置決される。
【００７４】
このプリズム留め具１５は、第３の実施形態の場合と同様にプリズムホルダ１４に対して接着や融着をする必要がないため、アラインメントも含めた組立工程を簡素化できる。また、プリズムホルダ１４にプリズム留め具１５が係合しているだけであるので、繰り返し熱影響を受けることによって、第１の保持ピース１１１および第２の保持ピース１２１の接着部およびプリズムホルダ１４とプリズム留め具１５との接着部が剥離する心配もない。
【００７５】
本発明に係る第５の実施形態の撮像装置について、図２０を参照して説明する。この撮像装置のプリズムユニット１０は、プリズム留め具１５を有しておらず、プリズムホルダ１４の形状が異なる。なお、これ以外の構成は、第１の実施形態と同じであるので、第１の実施形態の記載を参照するものとし、ここでの記載を省略する。
【００７６】
プリズムホルダ１４は、第１の保持ピース１１１と隣り合う位置に第１の固定片１８１を有し、第２の保持ピース１２１と隣り合う位置に第２の固定片１８２を有している。プリズムユニット１０として第１のプリズム１１および第２のプリズム１２が装着される前の第１の固定片１８１および第２の固定片１８２は、図２０に二点鎖線で示すように入射側に向かって第１の保持ピース１１１および第２の保持ピース１２１よりも高くプリズムホルダ１４から一体に延びている。
【００７７】
第１のプリズム１１がプリズムホルダ１４に装着されると、第１の固定片１８１は、第１の保持ピース１１１を第１の受部１４１へ押し当てる方向へかしめられる。第２のプリズム１２がプリズムホルダ１４に装着されると、第２の固定片１８２は、第２の保持ピース１２１を第２の受部１４２へ押し当てる方向へかしめられる。第１の固定片１８１および第２の固定片１８２は、熱源もしくは超音波によって加熱され、溶融または軟化された状態でかしめられる。このように第１のプリズム１１および第２のプリズム１２をプリズムホルダに対して固定することで、プリズムユニット１０の組立に要する時間が短縮される。
【００７８】
本発明に係る第６の実施形態の撮像装置について、図２１を参照して説明する。この撮像装置のプリズムユニット１０は、プリズム留め具に相当するプリズムクリップ１９１を備える。このプリズムクリップ１９１は、第１のプリズム１１と第２のプリズム１２とが並ぶ方向に沿ってプリズムホルダ１４の外縁部に一体に連結されている。プリズムクリップ１９１は、第１の実施形態のプリズム留め具１５と同じように嵌合片１５１および球状凸部１５２を備えている。
【００７９】
第１のプリズム１１および第２のプリズム１２がプリズムホルダ１４に装着されると、図２１中に矢印で示すようにプリズムクリップ１９１は、プリズムホルダ１４側に折り返され、第１のプリズム１１と第２のプリズム１２とが並ぶ方向の延長上の位置Ｘで融着される。この融着される位置は、プリズムクリップ１９１がプリズムホルダ１４と連結されている部分に対して、球状凸部１５２を隔てて反対側の位置である。
【００８０】
また、融着された状態で球状凸部１５２を基点にプリズムクリップ１９１がプリズムホルダ１４側へやや撓むように構成する。これにより、第１の実施形態においてプリズム留め具１５を撓ませてプリズムホルダ１４に融着することと同じ効果が得られる。
【００８１】
なお、本実施形態において、プリズムクリップ１９１は、第１のプリズム１１および第２のプリズム１２の側面にそれぞれ設けられる第１の保持ピース１１１および第２の保持ピース１２１をそれぞれ片方ずつ押る構成である。第１の実施形態のプリズム留め具１５をプリズムホルダ１４の外周部と一体に連結し、これを折り返して、第１のプリズム１１と第２のプリズム１２をプリズムホルダ１４に押え付けても良い。
【００８２】
また、第１のプリズム１１および第２のプリズム１２が並ぶ方向の延長上におけるプリズムホルダ１４の外周縁でプリズムクリップが連結された構成であっても良い。この場合、第１のプリズム１１側に取り付けられるプリズムクリップには第１の保持ピース１１１をプリズム位置決面１４３側に付勢する嵌合片１５１および第１の保持ピース１１１を第１の受部１４１に押え付ける球状凸部１５２がそれぞれ設けられ、第２のプリズム１２側に設けられるプリズムクリップには第２の保持ピース１２１を第２の受部に押え付ける球状凸部１５２が設けられる。
【００８３】
プリズムクリップを第１のプリズム１１側と第２のプリズム１２側とに分割せずに一体とし、どちらかのプリズム側のプリズムホルダ１４の外周縁から一体に設けても良い。プリズムクリップの端部を融着する代わりに爪部１６１と係止部１６２を設けて固定しても良い。
【００８４】
以上のように構成された撮像装置は、プリズムユニット１０の各プリズムのアラインメントも含めた組立工程が簡単である。なお、プリズムユニット１０以外の構成は、第１の実施形態に記載した撮像装置１と同じであるので、第１の実施形態の記載を参照するものとし、ここでの記載を省略する。
【図面の簡単な説明】
【００８５】
【図１】本発明に係る第１の実施形態の撮像装置を内蔵するデジタルカメラの斜視図。
【図２】図１のデジタルカメラの構成を示す概略図。
【図３】図２に示した撮像装置の斜視図。
【図４】図３中のＦ４−Ｆ４線に沿って示す撮像装置の断面図。
【図５】図４に示した撮像装置の分解斜視図。
【図６】図５に示したプリズムユニットの分解斜視図。
【図７】図６に示したプリズムユニットを一部組合せ射出側から見た分解斜視図。
【図８】図６に示したプリズムホルダを入射側から見た平面図。
【図９】図８中のＦ９−Ｆ９線に沿って示すプリズムユニットの断面図。
【図１０】図８中のＦ１０−Ｆ１０線に沿って示すプリズムユニットの断面図。
【図１１】図８中のＦ１１−Ｆ１１線に沿って示すプリズムユニットの断面図。
【図１２】図８中のＦ１２−Ｆ１２線に沿って示すプリズムユニットの断面図。
【図１３】本発明に係る第１の実施形態の撮像装置におけるプリズムホルダとプリズム留め具との融着部を示す断面図。
【図１４】本発明に係る第１の実施形態の撮像装置におけるプリズムユニットの図１２に相当する断面図。
【図１５】本発明に係る第２の実施形態の撮像装置におけるプリズムユニットの図１１に相当する断面図。
【図１６】本発明に係る第２の実施形態の撮像装置におけるプリズムユニットの図１２に相当する断面図。
【図１７】本発明に係る第３の実施形態の撮像装置におけるプリズムユニットの図１２に相当する断面図で、係合部については仮想平面を通る断面図。
【図１８】本発明に係る第４の実施形態の撮像装置におけるプリズムユニットを示す斜視図。
【図１９】図１８に示したプリズムユニットの図１２に相当する断面図。
【図２０】本発明に係る第５の実施形態の撮像装置におけるプリズムユニットを示す斜視図。
【図２１】本発明に係る第６の実施形態の撮像装置におけるプリズムユニットを示す斜視図。
【符号の説明】
【００８６】
１…撮像装置、１０…プリズムユニット、１１…第１のプリズム、１１ａ…第１の入射面（光学面）、１１ｂ…第１の反射面（光学面）、１１ｃ点第１の射出面（光学面）、１１ｅ…側面（非光学面）、１２…第２のプリズム、１２ａ…第２の入射面（光学面）、１２ｂ，１２ｃ…第２の反射面（光学面）、１２ｄ…第２の射出面（光学面）、１２ｅ…側面（非光学面）、１３…絞部材、１４…プリズムホルダ、１５…プリズム留め具、２１…撮像素子、２２…画像処理装置、２３…基板、３１…固定枠、３２…カバー部材、３３…透明カバー、４１…焦点補正カム、４２…切換カム、４３…戻しバネ、１１１…第１の保持ピース、１２１…第２の保持ピース、１２２…ボス、１４１…第１の受部、１４２…第２の受部、１４３…プリズム位置決面、１４４…テーパ部、１４５…位置決凸条、１４９…段差部、１５１…嵌合片、１５２…球状凸部、１６１…爪部、１６２…係止部、１７１…第１の板バネ部、１７２…第２の板バネ部、１７３…第３の板バネ部、１８１…第１の固定片、１８２…第２の固定片、４１１，４２１…カム面、λｉ…入射光軸、λｏ…射出光軸、α…仮想平面、β…基準面、Ｇ…接着剤、Ｐ…接着剤溜（空間）。
【図１】
2007127936.tif 000003
【図２】
2007127936.tif 000004
【図３】
2007127936.tif 000005
【図４】
2007127936.tif 000006
【図５】
2007127936.tif 000007
【図６】
2007127936.tif 000008
【図７】
2007127936.tif 000009
【図８】
2007127936.tif 000010
【図９】
2007127936.tif 000011
【図１０】
2007127936.tif 000012
【図１１】
2007127936.tif 000013
【図１２】
2007127936.tif 000014
【図１３】
2007127936.tif 000015
【図１４】
2007127936.tif 000016
【図１５】
2007127936.tif 000017
【図１６】
2007127936.tif 000018
【図１７】
2007127936.tif 000019
【図１８】
2007127936.tif 000020
【図１９】
2007127936.tif 000021
【図２０】
2007127936.tif 000022
【図２１】
2007127936.tif 000023